(57)【要約】  本発明は、長手方向の軸Ｙ−Ｙを有するブレスレットの留め金に関し、該留め金は−接続されるブレスレットの２つの端部に配置されるようにそれぞれ設計され、連結のための手段（28, 40, 42）を備えた２つの閉止要素（18, 20）、−前記２つの閉止要素を連結し、該２つの閉止要素の各々に関して動くことのできる帯片（24, 60）、−前記帯片の一端を前記２つの閉止要素の１つに連結させて、開位置における前記帯片の前記閉止要素に関する動きを制限する部材、を有する。本発明によると、留め金は、前記帯片上であって、前記閉止要素がそれに沿って移動する長手方向の軸に関してその中央部に配置される、閉位置において前記閉止要素に対する前記帯片の動きを制限する部材も有している。【選択図】          図７
2008517685.tif 000002
【特許請求の範囲】
【請求項１】
−接続されるブレスレットの２つの端部に配置されるようにそれぞれ設計され、連結のための手段（28, 40, 42）を備えた２つの閉止要素（18, 20）、
−前記２つの閉止要素を連結し、該２つの閉止要素の各々に関して動くことのできる帯片（24, 60）、
−前記帯片の一端を前記２つの閉止要素の１つに連結させて、開位置における前記帯片の前記閉止要素に関する動きを制限する部材、
を有する、長手方向の軸Ｙ−Ｙを有するブレスレットの留め金において、
前記帯片上であって、前記閉止要素がそれに沿って移動する長手方向の軸に関してその中央部に配置される、閉位置において前記閉止要素に対する前記帯片の動きを制限する部材をさらに有することを特徴とする留め金。
【請求項２】
前記帯片を受け入れるようになっている前記２つの閉止要素の各々の内部を、前記帯片がスライドするように取り付けられていることを特徴とする、請求項１に記載の留め金。
【請求項３】
前記帯片（24）が相互に嵌め込み式に収まるように形成された２つの部分（24a, 24b）に形成され、各々の部分が前記閉止要素（18, 20）の一方に固定的に取り付けられ、他方の閉止要素の中をスライド可能であることを特徴とする、請求項２に記載の留め金。
【請求項４】
前記帯片（60）が第一のガイド（62）を備えており、前記２つの閉止要素（18, 20）は、この第一のガイドと相互作用して前記閉止要素と帯片との相対的な動きを可能にする滑動体（70, 82）をそれぞれ有することを特徴とする、請求項１に記載の留め金。
【請求項５】
前記帯片（60）が第一のガイド（62）を備え、
前記留め金が、該第一のガイド内を動く第一のスライドブロック（66）及び第二のスライドブロック（80）を、閉位置において前記帯片の移動を制限する部材（64）の両側に有しており、この第一のスライドブロック（66）及び第二のスライドブロック（80）はそれぞれ第二のガイド（66a, 80a）を形成しており、
前記２つの閉止要素の各々は前記第一のスライドブロック（66）及び第二のスライドブロック（80）とそれぞれ相互作用する滑動体（70, 82）を有しており、前記閉止要素と前記帯片との相対的な動きを可能にする
ことを特徴とする、請求項１に記載の留め金。
【請求項６】
閉位置において、前記第一のスライドブロック（66）と第二のスライドブロック（80）との移動が前記閉位置において前記帯片の移動を制限する部材（64）によって制限されることを特徴とする、請求項５に記載の留め金。
【請求項７】
前記第一のスライドブロック（66）及び第二のスライドブロック（80）が枠体の形状をしており、開位置におけるそれらの移動が、前記帯片（60）の前記枠体の内側に配置された、前記第一及び第二スライドブロックの移動における移動制限部材（65）によって制限されることを特徴とする、請求項５及び６のいずれか一項に記載の留め金。
【請求項８】
前記閉止要素（18, 20）が凹部を有し、前記閉位置において前記帯片の移動を制限する部材が部分的に該凹部の中に入ってそこに当接するように、該凹部の位置と大きさとを定められることを特徴とする、請求項４〜７のいずれか一項に記載の留め金。
【請求項９】
前記閉止要素（18, 20）が、前記スライドブロック（66, 80）の移動に際して、その滑動体（70, 82）に、前記枠体の内側に配置された前記閉位置において前記帯片の移動を制限する部材を備えていることを特徴とする、請求項７及び８のいずれか一項に記載の留め金。
【請求項１０】
請求項３〜９のいずれか一項に記載の留め金を備えた、可撓性がある、又は関節接続部を有するブレスレット。
【発明の詳細な説明】
【技術分野】
【０００１】
本発明は、時計と宝石類の両方に使用することのできる、閉じた型のブレスレットに取り付けるように設計された滑り掛け金を備えた留め金に関し、より一般的には、除去可能な方法で物の周りに配設するように設計された環状体としても使用することのできる、滑り掛け金を備えた留め金に関する。
【背景技術】
【０００２】
ブレスレットは、２本のバンドを完全に離すことのできる開放型か、２本のバンドが強固に結びつけられており、手を通すことができるようにその直径を大きくすることのできる留め金によってバンドが互いに連結されている閉鎖型かのいずれかである。
【０００３】
本発明に係る、この２番目の型のブレスレットは、通常、蝶番によって接続されている２本の帯片を有する留め金を備えた、展開掛け金と称されている掛け金を使用していることが最も多い。その閉じた位置においては、前記２本の帯片は一方の上に他方が折り重ねられている。留め金を動かすことによって帯片の折り重なりを解いてブレスレットを大きくする。
【０００４】
閉鎖型のブレスレットの、前記態様より採用頻度の小さい態様では、GB 680 368 で提案されているような、滑り掛け金と称される掛け金が使用されている。この掛け金は、２本のバンドの内の一方のバンドに、その第一の端部によって固定的に取り付けられる可撓性のある帯片を有しており、該帯片はその第二の端部よって他のバンド内をスライドする。このようなどちらかというと基本的な構造は、確かに、展開留め具の複雑さを排するが、ブレスレットにかなりの力がかかったときに２本のバンドが連結されたままでいるという保証が無く、意に反してブレスレットが開いてしまうこともある。
【０００５】
GB 1 261 027は、その両端の内の一端によって、一方のバンド内のみをスライドする可撓性のある帯片を備えた滑り掛け金を有するブレスレットを提案している。この端部はＹ字形をなす２本の指状体を備えており、これら指状体が、該指状体が取り付けられているバンドから帯片が抜け出てしまうのを防ぐので、この機構であれば、先に記載した不都合がない。
【０００６】
しかしながら、帯片が一方のバンド内のみをスライドするので、バンド内をスライドする状態を長い距離に亘るスライドに適したものにしようとするのは困難である。その理由は、帯片が有する曲がりが、帯片とブレスレットとの間に大きな摩擦を生じるからである。さらに、帯片のスライドを可能にするために必然的に中空で堅くなければならないブレスレットは、着用者にとってはあまり快適ではない。実際、このような機構は、皮、ゴム、又は複数の関節接続部を有する金属でできた、可撓性のあるブレスレットには適用することができない。
【発明の開示】
【発明が解決しようとする課題】
【０００７】
したがって、本発明の目的は、上記欠点のない、いかなる型のブレスレットにも適用することのできる、滑り掛け金を有するブレスレット用留め金の改良版を提案することである。
【課題を解決するための手段】
【０００８】
より正確には、本発明は、長手方向の軸Ｙ−Ｙを有するブレスレットの留め金に関し、該留め金は、
−接続されるブレスレットの２つの端部に配置されるようにそれぞれ設計され、連結のための手段を備えた２つの閉止要素、
−前記２つの閉止要素を連結し、該２つの閉止要素の各々に関して動くことのできる帯片、
−前記帯片の一端を前記２つの閉止要素の１つに連結させて、開位置における前記帯片の前記閉止要素に関する動きを制限する部材、
を有する。
【０００９】
本発明によると、留め金は、前記帯片上であって、前記閉止要素がそれに沿って移動する長手方向の軸に関してその中央部に配置される、閉位置において前記閉止要素に対する前記帯片の動きを制限する部材も有している。
【００１０】
本発明の第一の態様によると、前記帯片を受け入れるようになっている前記２つの閉止要素の各々の内部を前記帯片がスライドするように取り付けられていることによって、前記留め金は特徴付けられる。
【００１１】
一変形例として、前記帯片が相互に嵌め込み式に収まるように形成された２つの部分に形成され、各々の部分が前記閉止要素の一方に固定的に取り付けられ、該部分が固定されていない方の閉止要素の中をスライドすることができる。
【００１２】
また別の態様において、この帯片は第一のガイドを備えている。２つの閉止要素は、それぞれこの第一のガイドと相互作用する滑動体を有しており、前記閉止要素と帯片との相対的な動きを可能にすることができる。
【００１３】
また別の特に効果的な変形例においては、前記帯片が第一のガイドを備え、前記留め金がこの第一のガイド内を動く第一及び第二のスライドブロックを、閉位置において前記帯片の移動を制限する部材の両側に有している。この第一及び第二のスライドブロックはそれぞれ第二のガイドを形成している。前記２つの閉止要素の各々は前記第一及び第二のスライドブロックによる第二のガイドとそれぞれ相互作用する滑動体を有しており、前記閉止要素と前記帯片との相対的な動きを可能にする。
【００１４】
本発明は、上記のように限定した留め金を備えた、可撓性があるブレスレット、又は関節接続部を有するブレスレットにも関する。
【発明の詳細な記述】
【００１５】
本発明の他の特徴は、添付の図面を参照してなされる以下の記載から明らかになるであろう。
【００１６】
開位置にある、本発明の滑り掛け金を備えた留め金を有するブレスレットが図１に示されている。図１は、ブレスレットが２本のバンド10及び12を有することのみを示している。時計に使用するためには、その各々の端部14及び16が、当業者に公知のあらゆる方法によって、時計のケースに接続されるのに適している２本の別々のバンドを有していると効果的であることが理解される。他方、宝石に使用する場合には、ブレスレットは単一のバンドを有していてもよいし、中央関節部材によって接続された２本のバンドを有していてもよい。図示されているブレスレットは連結部分を有しているが、一体鋳造されたものであってもよいし、特に合成された材料でできているものであってもよい。
【００１７】
本発明は、ブレスレットの、前記端部14及び16の反対側の２つの端部を接続するのを可能にする留め金に実質的に関する。
【００１８】
図１及び図２は、２本のバンド10及び12がその各々の端部で、ブレスレットの実際の留め金を形成する、同じ略平行六面体の外形を有する２つの要素18及び20に取り付けられていることを示している。材料は、チタン、鋼、プラチナ、セラミック、又は合成材料など、この分野で知られている全ての材料から、製造者が選択することができる。
【００１９】
要素18及び20の各々は、他方の要素の前部と連結するように設計された前部を有しており、該要素の後部にはブレスレットのバンドが取り付けられている。
【００２０】
要素18は、留め金の能動的半体を形成している。その前部18aは薄い長方形の溝22を有しており、その中を可撓性のある、又は硬い帯片24が自由に動くことができる。帯片は、鋼、カーボン、ケブラー、プラスチック、金、又はプラチナで作られていると好適であり、この帯片については後述する。後部18bには、ねじ、棒、又は当業者が利用可能な他のあらゆる手段によって、ブレスレットの一端を取り付けることのできる凹部が形成されている。
【００２１】
要素20は、留め金の受動的半体を形成している。その前部20aは、前記溝22と全く同じ薄い長方形の溝26を有しており、この中でも、帯片24が自由に動くことができる。後部20bには、ブレスレットの他端を上記と同様にして取り付けることのできる凹部が形成されている。
【００２２】
帯片24は、その端部から、ブレスレットの前記２本のバンド10及び12の内部に入り込む。したがって、この２本のバンドは帯片を受け入れ、その中を自由にスライドさせるような構造を有していなければならない。
【００２３】
留め金の２つの要素を連結させるために、前記能動的要素18は、その前部18aで、ブレスレットの長手方向の軸ＹＹに垂直な横方向の軸ＸＸに沿って対向して配列されると共に要素の体部18の側面に設けられた穴に埋め込まれる２つの押しボタン28を受け入れる。Ｏリング30が要素18内に塵芥が蓄積するのを防ぐ。
【００２４】
図３にも示されているように、２つの押しボタン28の各々は、その軸が軸ＹＹに平行である円筒形の空洞部36における軸ＸＸに沿って動くことのできる半管体34で形成された爪32を作動させる。押しボタン28は半管体34の外面の中央部に作用する。半管体は、押しボタンの反対側の面に向かって開いている円形の板ばね38への支持体として機能し、要素18の前面から出ているフック40を介して空洞部36の外側に延在している。
【００２５】
前記能動的要素の横にある、留め金の受動的要素20は、その前面に、該能動要素18の２つのフック40を受ける形状と大きさとの２つの空洞部42を有している。
【００２６】
留め金の２つの半体を連結するのを容易にするために、要素18は、その前面に、要素20の前面に設けられた凹部内に収まる２本のガイドピン44を有している。
【００２７】
このように、留め金の２つの半体を連結させるのには、ガイドピン44の助けを借りて、半体の面と面とを合わせるようにすればよい。次いで、２つの押しボタン28を同時に作動することにより、２枚の板バネ38を空洞部36の壁面に押し付けて２つの爪32を内側に動かし、爪のフック40が空洞部42に侵入するのを可能にする。２つの押しボタン28を開放することにより、２枚の板バネ38がその静止位置に戻って爪32が外側に動き、２つのフック40が空洞42内で要素20に固定される。このようにして、ブレスレットが閉じられてロックされる。
【００２８】
逆に、ブレスレットを開くには、２つの押しボタン28を再び押し込んで、板バネ38を圧迫し、２つのフック40がそれぞれの空洞部42から開放されるのを可能にすればよい。こうして、留め金の２つの半体を分離させることができる。
【００２９】
ここで、図４を参照する。この図は本発明による留め金の第一の態様を示している。ブレスレットのバンドは図示されていない。この後の図も同様であるが、この図は既に記載した要素を含んでおり、それらには同じ参照符号が付されている。
【００３０】
その全長に亘って図示されている帯片24は平坦であり、その２つの端部は、それぞれ要素18及び20の溝22及び26の入口に当接する湾曲部46となっており、該湾曲部は溝内に入り込むことができない。これによって、留め金の２つの半体の移動（即ち、ブレスレットの開き具合）を制限し、ブレスレットから帯片が抜け出るのを防いでいる。帯片は、その中央部において鋲48（図１及び２にも示されている）を有しており、２つの湾曲した端部46と同様に、この鋲も溝22及び26に入ることができない。このようにして、留め金の各半体が同じ距離を移動するようにしている。
【００３１】
２つの湾曲部46と前記１つの鋲48は、帯片24に関する留め金の２つの半体の移動を制限する手段の一例に過ぎない。本発明の文脈において、同じ効果を有する他のいかなる機構も、当然に使用することができる。
【００３２】
先に説明した図に示されている帯片24は平坦であるが、図５に示されているように、該帯片を多少なりとも堅牢に、及び／又は多少なりとも軽くするようなあらゆる方法で、特に切り抜き50と側方助材52とによって、長さ方向及び幅方向の形状を定めることもできる。
【００３３】
最後に、図６の留め金においては、帯片24は、相互に嵌め込み式に収まるような形状の２つの部分24aと24bとに形成することができる。この場合、帯片の半体24aは、要素18には固定的に取り付けられるが、要素20内はスライドすることができ、移動の最後にブレスレットが完全に閉じられたときには、破線で示された位置を占める。これとは対照的に、帯片のもう１つの半体24bは、要素20には固定的に取り付けられているが、要素18の中はスライドすることができ、移動の最後には、破線で示された位置を占める。
【００３４】
図７〜図10に示された態様では、嵌め込み式の複数の要素で形成された帯片の原理を採用している。滑り掛け金を有するこの留め金は先に記載した態様の長所を有しているのみならず、非常に効果的な方法で、皮、ゴム、又は関節接続部を有する金属で作られたあらゆるタイプの可撓性のあるブレスレットに適用することができる。具体的には、以後の記載によってよりよく理解されるように、ブレスレットは可撓性のある帯片を特に受けるような構造を有していない。
【００３５】
したがって、より詳細には、特にこの態様による留め金の帯片は、長手方向、即ち軸Ｙ−Ｙに平行な縁部が第一のガイド62を形成する、中央板60の形状を有している。
【００３６】
この態様においても、当該機構は、留め金の閉位置又は開位置を定める、帯片の移動を制限する部材を備えている。閉位置において帯片の移動を制限する第一の鋲64は、中央板62の中央部に配置されている。中央板の長さに関して該板の中央にあると好適である。開位置において帯片の移動を制限する第二の鋲65は、中央板の第一の端部に配されている。この鋲は、図８及び10において示されている。
【００３７】
第一のスライドブロック66は、図５の態様に関して先に説明した帯片24に類似する形状の要素で形成されている。このスライドブロック66は、その長手方向の縁部66aが前記第一のガイド62の中を隙間なくスライドするようになっており、また、そのようなサイズである枠体の形状をしている。
【００３８】
前記第一の鋲64の高さは、前記枠体の横方向の縁部66bの、鋲64の側にある外壁と相互作用するように調節されている。この外壁は、半円形の凹部68を備えており、鋲64の約半分を受け入れることができるようになっている。
【００３９】
前記鋲65は枠体66の内側にある。実際には、枠体が正しく配置された後、この鋲は折り曲げられる。この鋲の高さも、枠体66の横方向の縁部66bの内壁と相互作用するように調節される。
【００４０】
さらに、枠体の長手方向の縁部66aは、第二のガイドを形成するような大きさとされる。
【００４１】
最後に、上記のように、留め金は、実際の留め金を形成する第一の要素18と第二の要素20とを有している。第一の要素18は略平行六面体形をしており、２つの固定フック40を作動させる２つの押しボタン28を有している。さらに、その基部において、この第二のガイド内を隙間なくスライドする大きさ及び形状の滑動体70（図９及び10においてより容易に見えている）を、要素18は備えている。この滑動体70は、その下部に、図10に示されているピン72を備えており、このピンは、前記滑動体のスライドを阻止することなく、枠体の横側66bの内壁と相互作用するような大きさとなっている。
【００４２】
前記鋲64の高さは、閉位置で要素18の移動を制限するために、要素18とも相互作用をするように調節される。したがって、滑動体70は鋲64の側に位置する凹部を有しており、留め金が閉位置にあるときに該鋲が該凹部の中に入ってその壁に当接する。
【００４３】
ピン65と72とは共に壁66bと相互作用するように設計されているので、これらは同一平面Ｘ−Ｙ内にある。しかしながら、これら２つのピンは横方向の軸Ｘ−Ｘに関してずれた位置にあるので、スライドブロック66と要素18との相対的な動きの間、両ピンが衝突することはあり得ない。
【００４４】
中央板60の中央部と鋲64とに関して対称に、留め金は、先に記載した参照符号66の枠体に類似するもう１つのスライドブロック80を有している。要素18の２つのフック40を受け入れる空洞部42を有する要素20は、滑動体70に類似するその滑動体82によって、このスライドブロック80内をスライドする。閉位置において鋲64は移動制限器としても機能し、スライドブロック80を形成する枠体における横方向の縁部66bの外壁に設けられた凹部に収まることができる。
【００４５】
対称的に配置されたこれら２つの要素も、先に記載したものに類似する帯片の移動を制限する部材を有している。
【００４６】
このように、閉位置において、要素18と要素20とは鋲64に押し付けられ、相互に接触した位置にあり、２つのフック40はそれぞれの凹部42に嵌合している。スライドブロック66と80との横方向の縁部の外壁も、また、鋲64に押し付けられており、要素18の滑動体70のピン72と要素20の滑動体82のピン72は、スライドブロック66及び80の横方向縁部の内壁にそれぞれ押し付けられている。
【００４７】
開位置において、スライドブロック66と80とは、その横方向縁部66bと80bとの内壁によって、鋲65に押し付けられている。一方、要素18と要素20とは、それらの滑動体のピン72によって、横方向縁部66及び80bにそれぞれ対向する横方向縁部の内壁に押し付けられている。
【００４８】
図７に示されているように、この態様の留め金は、例えば、皮又はゴムで作られた可撓性のあるブレスレットを取り付けることができる。ブレスレットの第一のバンド10の端部の１つをねじ84又は棒によって要素18に取り付ける。
【００４９】
ブレスレットの第二のバンドを受け入れて取り付けるために、要素20は、枠体の形状をした掛け金86を備えており、該掛け金86は要素20に対して軸支回動するように２本のねじ88によって取り付けられる。掛け金は、ブレスレットが枠体内で傾斜することなく動くような大きさとされる。
【００５０】
この枠体は、ブレスレットに通常設けられている複数の孔の１つに挿通されるように設計された鋲89を備えており、完全に従来の方法で、ブレスレットの長さを調節することができるようになっている。掛け金86は、鋲89がブレスレットの適切な孔に配置されると、このブレスレットを引っ張っても該掛け金が軸支回動しないようになっている。
【００５１】
図９は、複数の関節連結部を有する金属製のブレスレットに使用される、この態様による留め金を示しており、このブレスレットの２つの端部は、従来の方法で、直接、要素18と20とに取り付けられている。留め金の嵌め込み型要素の全部はブレスレットの下方にあり、留め金のスライド部分を受け入れるようにブレスレットを特に設計する必要はない。
【００５２】
単純化した一変形例においては、当業者であれば、要素18及び20の各々に対して、単一のスライド要素を備えた留め金、即ち、スライドブロック66と80とが除去された留め金を製造することができる。この場合、滑動体70と82とは中央板60のガイド62内を直接スライドする。中央板60の両端は、止め部材を形成すると共に開位置において要素18と20との移動を制限する縁になっている。
【００５３】
このようにして、開く掛け金を有する留め金の複雑さのない、滑り掛け金を有するブレスレットの留め金が提案された。本発明による留め金は単純な構造であり、また、外部から全く見えない掛け金を備えている。
【００５４】
鋲64及び48は、閉位置において移動を制限する機構として機能し、スライドする要素の長さを要素18と20との両側に分配することを可能にする。したがって、これらの鋲が留め金の完全な中心にない場合もあるが、閉位置における２つのスライドする要素の分配状態は満足のいくものである。
【図面の簡単な説明】
【００５５】
【図１】図１は、開位置にある、本発明の留め金を取り付けたブレスレットの斜視図である。
【図２】図２は、閉位置にある前記留め金のＡＡ線に沿った断面の上面図である。
【図３ａ】図３ａは、その操作機構の拡大平面図である。
【図３ｂ】図３ｂは、図３ａの操作機構を上から見た図である。
【図４】図４は、留め金の別の態様を示している。
【図５】図５は、留め金のまた別の態様を示している。
【図６】図６は、留め金のさらにまた別の態様を示している。
【図７】図７は、本発明の特に効果的な一態様を示す図である。
【図８】図８は、本発明の特に効果的な一態様を示す別の図である。
【図９】図９は、本発明の特に効果的な一態様を示すまた別の図である。
【図１０】図１０は、本発明の特に効果的な一態様を示すさらにまた別の図である。
【図１】
2008517685.tif 000003
【図２】
2008517685.tif 000004
【図３ａ】
2008517685.tif 000005
【図３ｂ】
2008517685.tif 000006
【図４】
2008517685.tif 000007
【図５】
2008517685.tif 000008
【図６】
2008517685.tif 000009
【図７】
2008517685.tif 000010
【図８】
2008517685.tif 000011
【図９】
2008517685.tif 000012
【図１０】
2008517685.tif 000013
【国際調査報告】
2008517685.tif 000014
2008517685.tif 000015
2008517685.tif 000016
2008517685.tif 000017